(57)【要約】【課題】一般に普及している携帯電話を用い、携帯電話にＥＴＣ車載器の機能を設け、ＥＴＣシステムの導入が少ない経費で行え、ＥＴＣシステムの普及拡大に貢献することができる携帯電話を提供する。【解決手段】携帯電話器本体２に、有料道路自動料金収受システムの路側器との間で料金決済のための無線通信を行うＥＴＣ車載器の機能３を設け、このＥＴＣ車載器の機能３は、路側器との間の無無線通信によって料金決済を行うのに必要なデータをＩＣカード５から読み出し、決済結果に応じてＩＣカード５内のデータを更新するためのカードリーダライタ６を備え、このカードリーダライタ６のＩＣカード５の挿入口７が携帯電話器本体２の外面で開口している。【選択図】図１
2008104134.tif 000002
【特許請求の範囲】
【請求項１】
携帯電話器本体に、有料道路自動料金収受システムの路側器との間で料金決済のための無線通信を行うＥＴＣ車載器の機能を設けた携帯電話器。
【請求項２】
上記ＥＴＣ車載器の機能は、路側器との間の無無線通信によって料金決済を行うのに必要なデータをＩＣカードから読み出し、決済結果に応じてＩＣカード内のデータを更新するためのカードリーダライタを備え、このカードリーダライタのＩＣカードの挿入口が携帯電話器本体の外面で開口している請求項１に記載の携帯電話器。
【請求項３】
上記携帯電話器本体に、キャッシュカードの読み取り機能を付加した請求項１又は２に記載の携帯電話器。
【請求項４】
上記携帯電話器本体に、上記ＥＴＣ車載器の機能又はキャッシュカードの読み取り機能の作動状態を示すための報知手段を設けた請求項１乃至３の何れかに記載の携帯電話器。
【発明の詳細な説明】
【技術分野】
【０００１】    この発明は、携帯電話器本体にＥＴＣ車載器を設け、携帯電話器本体を車内のコンソール上に配置することで、有料道路の料金所にて車両を停止させることなく料金を徴収することができるようにした携帯電話器に関する。
【背景技術】
【０００２】  従来より、有料道路の料金所で車両を停止させることなく料金を徴収することができるようにした有料道路自動料金収受システム（以下ＥＴＣシステムという）が知られている。【０００３】  上記ＥＴＣシステムは、有料道路に設置された路側器と、車両に搭載されたＥＴＣ車載器からなり、ＥＴＣ車載器を搭載した車両が有料道路を走行して路側器付近を通過する際、ＥＴＣ車載器が路側器との間で無線通信を行うことにより、料金決済に必要なデータを路側器に送信し、路側器側ではそのデータに基づき有料道路を通行した運行者を識別する。【０００４】  上記ＥＴＣ車載器が路側器との間の無線通信によって料金決済を行うのに必要なデータは、ＥＴＣ車載器に挿入したＩＣカードに記憶するようになっている。
【発明の開示】
【発明が解決しようとする課題】
【０００５】  ところで、従来のＥＴＣシステムは、ＥＴＣ車載器を各自購入する必要があり、その購入に費用的な負担がかかるため、ＥＴＣシステムの普及に対する大きな弊害になっているのが現状である。【０００６】  そこで、この発明は、広く一般に普及している携帯電話に着目し、携帯電話にＥＴＣ車載器の機能を設け、ＥＴＣシステムの導入が少ない経費で行え、ＥＴＣシステムの普及拡大に貢献することができる携帯電話を提供することにある。
【課題を解決するための手段】
【０００７】  上記のような課題を解決するため、この発明は、携帯電話器本体に、有料道路自動料金収受システムの路側器との間で料金決済のための無線通信を行うＥＴＣ車載器の機能を設けた構成を採用したものである。【０００８】  上記ＥＴＣ車載器の機能は、路側器との間の無無線通信によって料金決済を行うのに必要なデータをＩＣカードから読み出し、決済結果に応じてＩＣカード内のデータを更新するためのカードリーダライタを備え、このカードリーダライタのＩＣカードの挿入口が携帯電話器本体の外面で開口している構造とすることができる。【０００９】  上記携帯電話器本体に、キャッシュカードの読み取り機能を付加して支払いの決済ができるようにしてもよう。【００１０】  また、上記携帯電話器本体に、上記ＥＴＣ車載器の機能の作動状態を示すための報知手段を設けることができる。【００１１】  ここで、携帯電話器本体は、一般的な電話機能とＥＴＣ車載器の機能を備え、通常は携帯電話として使用し、自動車に乗ったときに携帯電話器を車内のコンソール上に配置し、ＩＣカードを挿入することでＥＴＣ車載器となり、状況に応じて携帯電話器とＥＴＣ車載器の二つの機能を選択使用することができることになる。
【発明の効果】
【００１２】  この発明によると、携帯電話器本体に、有料道路自動料金収受システムの路側器との間で料金決済のための無線通信を行うＥＴＣ車載器の機能を設けたので、ＩＣカードを挿入することでＥＴＣ車載器となり、状況に応じて携帯電話器とＥＴＣ車載器の二つの機能を選択使用することができ、しかも、装置の本体は携帯電話器本体を使用することで、ＥＴＣ車載器の機能だけを携帯電話器本体に付加すればよいことになり、単独のＥＴＣ車載器に比べてその分コストの削減になり、ＥＴＣシステムの導入が少ない経費で行え、ＥＴＣシステムの普及拡大に貢献することができる。【００１３】  また、自動車からの降車時に携帯電話器本体を車内から持ち出すことによって、ＥＴＣ車載器の盗難発生を未然に防止することができる。【００１４】  更に、携帯電話器本体に、キャッシュカードの読み取り機能を付加すれば、各種支払いの決済が携帯電話器本体を介して自動的に行うことができる。
【発明を実施するための最良の形態】
【００１５】  以下、この発明の実施の形態を添付図面に基づいて説明する。【００１６】    図示のように、この発明の携帯電話器１は、携帯電話器本体２に有料道路自動料金収受システムの路側器との間で料金決済のための無線通信を行うＥＴＣ車載器の機能３を設けた構造になっている。【００１７】  この携帯電話器１は、携帯電話器本体２に、一般的な周知の電話機能とＥＴＣ車載器の機能３を組み込み、状況に応じて携帯電話器本体２の外部適所に設けたスイッチ４を切り換えることで、携帯電話とＥＴＣ車載器の二つの機能を選択使用することができることになる。【００１８】  上記ＥＴＣ車載器の機能３は、路側器との間の無無線通信によって料金決済を行うのに必要なデータをＩＣカード５から読み出し、決済結果に応じてＩＣカード内のデータを更新するためのカードリーダライタ６を備え、このカードリーダライタ６のＩＣカード５の挿入口７が携帯電話器本体２の外面で開口している。【００１９】  このＥＴＣ車載器の機能３には、動作用の電源を供給すると共に、路側器との間の無線通信のためのアンテナが必要になるが、電源は携帯電話器本体に組み込んだ電話機能と共通の蓄電池や自動車の電源と接続することにより得ることができ、また、アンテナ８は電話機能と共用するようにすればよい。【００２０】  上記携帯電話器本体２に、上記ＥＴＣ車載器の機能３の作動状態を示すための報知手段を設けたるようにしてもよく、報知手段としては、音声で運転者に知らせたり、発光部による点等によって行うことができ、音声の場合、スピーカは電話機能と共用しても専用のものでもよく、何れにしても、ツマミの操作で音声調整ができるようにするのが好ましい。【００２１】  ここで、上記携帯電話器本体２に、キャッシュカードの読み取り機能を付加し、挿入口７にキャッシュカードを差し込めば、キャッシュカードの情報を自動的に読み取り、支払い等の決済を無線によって行うようにすることもできる。【００２２】  この発明の携帯電話器は、上記のような構成であり、帯電話器本体２の内部に組み込んだ電話機能によって通常は電話機能によって携帯電話として使用することができる。【００２３】  自動車に乗ったときには、携帯電話器本体２の外部適所に設けたスイッチ４をＥＴＣ車載器の機能に切り換え、この携帯電話器本体２に設けたカードリーダライタ６の挿入口７にＩＣカード５を挿入し、携帯電話器本体２を車内のコンソール上に配置する。【００２４】  ＥＴＣ車載器の機能３のカードリーダライタ６が通電によってＩＣカード５の情報を読み取り、路側器との間の無無線通信によって料金決済を行うことにより、有料道路における料金徴収ゲートを停車することなく通過することができる。【００２５】  このように、一台の携帯電話器１によって、携帯電話とＥＴＣ車載器の二つの機能を選択使用することができ、携帯電話器１にＥＴＣ車載器の機能３を組み込むことで、単独のＥＴＣ車載器の採用に比べて本体価格の分だけコストの削減になり、ＥＴＣシステムの導入が少ない経費で行え、ＥＴＣシステムの普及拡大に貢献することができる。【００２６】  また、自動車からの降車時に携帯電話器１を車内から持ち出すことによって、車上荒らしによるＥＴＣ車載���の盗難発生を末然に防止することができる。
【図面の簡単な説明】
【００２７】
【図１】（ａ）はこの発明に係る携帯電話の斜視図、（ｂ）は同平面図
【符号の説明】
【００２８】１      携帯電話器
２      携帯電話器本体
３      ＥＴＣ車載器の機能
４      スイッチ
５      ＩＣカード
６      カードリーダライタ
７      挿入口
【図１】
2008104134.tif 000003